(57)【要約】【課題】流路内に生存する細菌をより確実に殺菌しきれいな水を供給することができる衛生洗浄装置を提供することを目的とする。【解決手段】吐水口を有し、前記吐水口から水を噴射して使用者の局部を洗浄するノズルと、前記水を供給する給水手段と、前記給水手段から供給された水を前記吐水口へ導く流路と、前記流路の途中に設けられ、殺菌水を生成可能な殺菌水生成手段と、前記使用者の利用を検知する人体検知手段と、前記給水手段および前記殺菌水生成手段の動作を制御し、前記人体検知手段が前記使用者の利用を検知した後に前記殺菌水生成手段よりも下流側の前記流路を前記殺菌水で満たす制御を実行する制御部と、を備えたことを特徴とする衛生洗浄装置が提供される。【選択図】図２
2011202481.tif 000002
【特許請求の範囲】
【請求項１】
吐水口を有し、前記吐水口から水を噴射して使用者の局部を洗浄するノズルと、
前記水を供給する給水手段と、
前記給水手段から供給された水を前記吐水口へ導く流路と、
前記流路の途中に設けられ、殺菌水を生成可能な殺菌水生成手段と、
前記使用者の利用を検知する人体検知手段と、
前記給水手段および前記殺菌水生成手段の動作を制御し、前記人体検知手段が前記使用者の利用を検知した後に前記殺菌水生成手段よりも下流側の前記流路を前記殺菌水で満たす制御を実行する制御部と、
を備えたことを特徴とする衛生洗浄装置。
【請求項２】
前記人体検知手段は、トイレ室への使用者の入室を検知可能な入室検知センサであることを特徴とする請求項１記載の衛生洗浄装置。
【請求項３】
便蓋をさらに備え、
前記人体検知手段は、前記便蓋の開動作を検知可能な便蓋開閉検知手段であることを特徴とする請求項１記載の衛生洗浄装置。
【請求項４】
前記水を加熱可能な加熱手段をさらに備え、
前記制御部は、前記人体検知手段が前記使用者の利用を検知すると、前記加熱手段を動作させることを特徴とする請求項１記載の衛生洗浄装置。
【請求項５】
前記制御部は、局部洗浄信号を受信すると、前記流路を満たした前記殺菌水を排出する制御を実行することを特徴とする請求項１または２に記載の衛生洗浄装置。
【請求項６】
前記制御部は、前記使用者の利用を検知しなくなると、前記流路を満たした前記殺菌水を排出する制御を実行することを特徴とする請求項１〜５のいずれか１つに記載の衛生洗浄装置。
【請求項７】
前記制御部は、前記使用者の利用を検知してから所定時間が経過すると、前記流路を満たした前記殺菌水を排出する制御を実行することを特徴とする請求項１〜５のいずれか１つに記載の衛生洗浄装置。
【請求項８】
前記制御部は、便器洗浄信号を受信すると、前記流路を満たした前記殺菌水を排出する制御を実行することを特徴とする請求項１〜５のいずれか１つに記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
局部洗浄用の洗浄ノズルは、その洗浄ノズルや温水タンクなどの所定の機能部品を取り付けるケーシングから少なくとも一部を外部に露出（進出）した状態で局部に洗浄水を噴射する。そのため、洗浄ノズルには汚水や汚物が付着するおそれがある。これに対して、局部洗浄を行う前や行った後において、洗浄ノズルに付着した汚水や汚物を洗い流し除去する衛生洗浄装置がある。これにより、洗浄ノズルは清潔に保たれている。
【０００３】
しかしながら、洗浄ノズルに付着した汚水や汚物を洗い流した場合でも、トイレ室のような湿潤な環境においては、時間の経過とともに菌が洗浄ノズルに繁殖する場合がある。より具体的には、便器のボウル面などに発生する例えばピンクスライムなどと呼ばれるメチロバクテリウムや、黒かびなどの細菌が洗浄ノズルに付着し、その洗浄ノズルに菌が繁殖するおそれがある。そして、菌が繁殖することにより、例えばバイオフィルムなどと呼ばれるバクテリアおよびその分泌物の集まり（ぬめり、黒色汚れ）が形成されると、前述したような通常のノズル洗浄では、そのバイオフィルムを除去することが困難となる。
【０００４】
これに対して、次亜塩素酸や銀イオンを含む殺菌水により洗浄ノズルを殺菌する殺菌工程を一連の動作の中で実行する装置がある。例えば、旅行等で長期間使用しない場合には細菌の繁殖が激しく、小径の排水管部分などを詰まらせる原因となる場合があるため、銀イオン電解装置の下流側水路全体に銀イオン電解水を通水して満たす銀イオン電解槽装置付人体洗浄装置がある（特許文献１）。特許文献１に記載された銀イオン電解槽装置付人体洗浄装置は、長時間不使用状態が続くことによって銀イオン電解水による細菌の繁殖の抑制力が弱まることを防止するために、定期通水時間ごとに銀イオン電解水の入れ替えを行っている。
【０００５】
また、局部洗浄水は上水または中水であり、ノズル洗浄水は局部洗浄水よりも強い消毒性または殺菌性を示し、ノズル洗浄手段は、上水または中水の性状を変化させてノズル洗浄水を生成するノズル洗浄水生成部を備えた局部洗浄装置がある（特許文献２）。特許文献２に記載された局部洗浄装置によれば、ノズル装置のクリーニングの際に薬液を利用するので、従来の洗浄水のみを浴びせるクリーニングに比べると、汚れを効果的にぬぐい取ることができるだけでなく、殺菌及び除菌効果も十分に期待できる。
【０００６】
また、次亜塩素酸を含む水を生成する電気分解装置および電気分解方法が提案されている（特許文献３）。特許文献３に記載された電気分解装置および電気分解方法によれば、電気分解槽へ流入した塩素イオンを含む流水を加熱した後に電気分解することにより、遊離塩素の発生効率を向上させることができる。
【０００７】
しかしながら、特許文献１に記載された銀イオン電解槽装置付人体洗浄装置において、長時間不使用状態が続くことによって銀イオン電解水による細菌の繁殖の抑制力が弱まる程度は、一般的に残存している菌の量などにより変わる。そのため、特許文献１に記載されたように、人体検知手段が使用者を検知することによって銀イオン電解水を排水し、その後、銀イオン電解装置への給電を停止させた状態で加熱された水を人体洗浄用の吐水口から吐水すると、殺菌力が低下して菌が繁殖している場合がある。そのため、温水洗浄水に菌が混在している場合がある。
【先行技術文献】
【特許文献】
【０００８】
【特許文献１】特開２００１−２７９７４５号公報
【特許文献２】特許第３４８７４４７号公報
【特許文献３】国際公開第９５／３２９２２号パンフレット
【発明の概要】
【発明が解決しようとする課題】
【０００９】
本発明は、かかる課題の認識に基づいてなされたものであり、流路内に生存する細菌をより確実に殺菌しきれいな水を供給することができる衛生洗浄装置を提供することを目的とする。
【課題を解決するための手段】
【００１０】
第１の発明は、吐水口を有し、前記吐水口から水を噴射して使用者の局部を洗浄するノズルと、前記水を供給する給水手段と、前記給水手段から供給された水を前記吐水口へ導く流路と、前記流路の途中に設けられ、殺菌水を生成可能な殺菌水生成手段と、前記使用者の利用を検知する人体検知手段と、前記給水手段および前記殺菌水生成手段の動作を制御し、前記人体検知手段が前記使用者の利用を検知した後に前記殺菌水生成手段よりも下流側の前記流路を前記殺菌水で満たす制御を実行する制御部と、を備えたことを特徴とする衛生洗浄装置である。
【００１１】
この衛生洗浄装置によれば、制御部は、人体検知手段が使用者の利用を検知した後に殺菌水生成手段よりも下流側の流路を殺菌水で満たす制御を実行する。そのため、殺菌水生成手段よりも下流側の流路は、殺菌水により満たされ殺菌される。つまり、使用者が衛生洗浄装置を利用する可能性があると、制御部は、殺菌水生成手段よりも下流側の流路に殺菌水をより早く供給することができる。そのため、衛生洗浄装置の利用可能性を検知した後のより早い段階で、流路の内部に生存する細菌を殺菌することができる。
【００１２】
また、本発明の衛生洗浄装置は、殺菌水を流路の内部に満たして所定時間保持することができる。そのため、流路の内部に生存する細菌をより確実に殺菌し、ノズルの吐水口からきれいな水を噴射することができる。さらに、男性の使用者が立位姿勢のままで排尿行為を行った場合でも、殺菌水生成手段よりも下流側の流路は殺菌水により満たされているため、小水が吐水口から流路内に入ることを防止することができる。
【００１３】
また、第２の発明は、第１の発明において、前記人体検知手段は、トイレ室への使用者の入室を検知可能な入室検知センサであることを特徴とする衛生洗浄装置である。
【００１４】
この衛生洗浄装置によれば、人体検知手段は、トイレ室への使用者の入室を検知可能な入室検知センサであるため、制御部は、入室検知センサがトイレ室に入室した直後の使用者を検知した後、殺菌水生成手段よりも下流側の流路に殺菌水を供給することができる。そのため、殺菌水を殺菌水生成手段よりも下流側の流路の内部により長い時間保持することができる。
【００１５】
また、使用者が便座に着座した後に制御部が温水準備を行う場合でも、使用者が便座に着座する前では、温水準備はまだ開始されていない。そのため、使用者が便座に着座する前では、殺菌水生成手段よりも下流側の流路は、より低温の殺菌水により満たされる。より低温の環境における細菌の繁殖力は、より高温の環境における細菌の繁殖力よりも弱い。そのため、使用者が便座に着座する前において、流路の内部に生存する細菌をより効率的に殺菌することができる。
【００１６】
また、第３の発明は、第１の発明において、便蓋をさらに備え、前記人体検知手段は、前記便蓋の開動作を検知可能な便蓋開閉検知手段であることを特徴とする衛生洗浄装置である。
【００１７】
この衛生洗浄装置によれば、便蓋の開動作を検知可能な便蓋開閉検知手段が設けられ、便蓋開閉検知手段が使用者の利用を検知することができる。そのため、トイレ室への使用者の入室を検知可能な入室検知センサなどが設けられていなくとも、制御部は、便蓋開閉検知手段が便蓋の開動作を検知した後に殺菌水生成手段よりも下流側の流路を殺菌水で満たす制御を実行できる。そのため、殺菌水生成手段よりも下流側の流路は、殺菌水により満たされ殺菌される。
【００１８】
また、第４の発明は、第１の発明において、前記水を加熱可能な加熱手段をさらに備え、前記制御部は、前記人体検知手段が前記使用者の利用を検知すると、前記加熱手段を動作させることを特徴とする衛生洗浄装置である。
【００１９】
この衛生洗浄装置によれば、制御部は、人体検知手段が前記使用者の利用を検知すると、加熱手段を動作させる。つまり、制御部は、殺菌水生成手段よりも下流側の流路を殺菌水で満たす制御と、温水準備の動作の制御と、を連動して実行することができる。このように、温水準備を予め行うことにより、使用者は、便座に着座した後でもすぐに「おしり洗浄」を行うことができる。
【００２０】
また、第５の発明は、第１または第２の発明において、前記制御部は、局部洗浄信号を受信すると、前記流路を満たした前記殺菌水を排出する制御を実行することを特徴とする衛生洗浄装置である。
【００２１】
この衛生洗浄装置によれば、制御部は、局部洗浄信号を受信すると、流路を満たした殺菌水を排出する制御を実行する。これにより、流路に満たされていた殺菌水は、新たに供給される上水により置換され排水される。そのため、殺菌水が使用者の局部に噴射されることはなく、上水が使用者の局部に噴射される。
【００２２】
また、第６の発明は、第１〜第５のいずれか１つの発明において、前記制御部は、前記使用者の利用を検知しなくなると、前記流路を満たした前記殺菌水を排出する制御を実行することを特徴とする衛生洗浄装置である。
【００２３】
この衛生洗浄装置によれば、制御部は、使用者の利用を検知しなくなると、流路を満たした殺菌水を排出する制御を実行する。そのため、人体検知手段が使用者の利用を検知した後に「おしり洗浄」が実行されない場合でも、制御部は、流路の内部に殺菌水を所定時間保持した後に、流路の内部の殺菌水を抜き、流路の内部を空にすることができる。そのため、殺菌水の殺菌力が経時変化により低下した場合でも、その殺菌水が細菌の栄養源となることを抑制することができる。
【００２４】
また、第７の発明は、第１〜第５の発明において、前記制御部は、前記使用者の利用を検知してから所定時間が経過すると、前記流路を満たした前記殺菌水を排出する制御を実行することを特徴とする衛生洗浄装置である。
【００２５】
この衛生洗浄装置によれば、制御部は、使用者の利用を検知してから所定時間が経過すると、流路を満たした殺菌水を排出する制御を実行する。そのため、人体検知手段が使用者の利用を検知した後に「おしり洗浄」が実行されない場合でも、制御部は、流路の内部に殺菌水を所定時間保持した後に、流路の内部の殺菌水を抜き、流路の内部を空にすることができる。そのため、殺菌水の殺菌力が経時変化により低下した場合でも、その殺菌水が細菌の栄養源となることを抑制することができる。
【００２６】
また、第８の発明は、第１〜第５のいずれか１つの発明において、前記制御部は、便器洗浄信号を受信すると、前記流路を満たした前記殺菌水を排出する制御を実行することを特徴とする衛生洗浄装置である。
【００２７】
この衛生洗浄装置によれば、制御部は、便器洗浄信号を受信すると、流路を満たした殺菌水を排出する制御を実行する。そのため、人体検知手段が使用者の利用を検知した後に「おしり洗浄」が実行されない場合でも、制御部は、流路の内部に殺菌水を所定時間保持した後に、流路の内部の殺菌水を抜き、流路の内部を空にすることができる。そのため、殺菌水の殺菌力が経時変化により低下した場合でも、その殺菌水が細菌の栄養源となることを抑制することができる。
【発明の効果】
【００２８】
本発明の態様によれば、流路内に生存する細菌をより確実に殺菌しきれいな水を供給することができる衛生洗浄装置が提供される。
【図面の簡単な説明】
【００２９】
【図１】本発明の実施の形態にかかる衛生洗浄装置を備えたトイレ装置を表す斜視模式図である。
【図２】本実施形態にかかる衛生洗浄装置の要部構成を表すブロック図である。
【図３】本実施形態にかかる衛生洗浄装置の水路系の要部構成の具体例を例示するブロック図である。
【図４】本実施形態の電解槽ユニットの具体例を例示する断面模式図である。
【図５】本実施形態のノズルユニットの具体例を例示する斜視模式図である。
【図６】本実施形態にかかる衛生洗浄装置の動作の概略を表す概念模式図である。
【図７】本実施形態にかかる衛生洗浄装置の動作と流路の状態との概略を表す概念模式図である。
【図８】本実施形態にかかる衛生洗浄装置の動作の具体例を例示するタイミングチャートである。
【図９】本実施形態にかかる衛生洗浄装置の動作の変形例を表す概念模式図である。
【図１０】本実施形態の回転減速装置を表す分解模式図である。
【図１１】本実施形態の回転減速装置を表す断面模式図である。
【図１２】本実施形態の回転減速装置を表す断面模式図である。
【発明を実施するための形態】
【００３０】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視模式図である。  
また、図２は、本実施形態にかかる衛生洗浄装置の要部構成を表すブロック図である。  なお、図２は、水路系と電気系の要部構成を併せて表している。
【００３１】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００３２】
ケーシング４００の内部には、便座２００に座った使用者の「おしり」などの洗浄を実現する局部洗浄機能部などが内蔵されている。また、例えばケーシング４００には、使用者が便座２００に座ったことを検知する着座検知センサ（人体検知手段）４０４が設けられている。着座検知センサ４０４が便座２００に座った使用者を検知している場合において、使用者が例えばリモコンなどの操作部５００を操作すると、洗浄ノズル（以下説明の便宜上、単に「ノズル」と称する）４７３を便器８００のボウル８０１内に進出させることができる。なお、図１に表した衛生洗浄装置１００では、ノズル４７３がボウル８０１内に進出した状態を表している。
【００３３】
ノズル４７３の先端部には、ひとつあるいは複数の吐水口４７４が設けられている。そして、ノズル４７３は、その先端部に設けられた吐水口４７４から水を噴射して、便座２００に座った使用者の「おしり」などを洗浄することができる。なお、本願明細書において「水」という場合には、冷水のみならず、加熱されたお湯も含むものとする。
【００３４】
より具体的に説明すると、本実施形態にかかる衛生洗浄装置１００は、図２に表したように、水道や貯水タンクなどの給水源１０から供給された水をノズル４７３の吐水口４７４に導く流路２０を有する。流路２０の上流側には、電磁弁４３１が設けられている。電磁弁４３１は、開閉可能な電磁バルブであり、ケーシング４００の内部に設けられた制御部４０５からの指令に基づいて水の供給を制御する。なお、流路２０は、電磁弁４３１から下流側の２次側とする。
【００３５】
電磁弁４３１の下流には、温水ヒータ４４１が設けられている。温水ヒータ４４１は、供給された水を加熱し、所定の温水にする。温水ヒータ４４１の上流側には入水サーミスタ４３３（図３参照）が設けられ、温水ヒータ４４１の下流側には温水サーミスタ４４３（図３参照）が設けられている。なお、温水温度については、例えば、使用者が操作部５００を操作することにより設定することができる。  
温水ヒータ４４１の下流には、殺菌水を生成可能な電解槽ユニット（殺菌水生成手段）４５０が設けられている。この電解槽ユニット４５０については、後に詳述する。
【００３６】
電解槽ユニット４５０の下流には、水勢（流量）の調整を行う流量切替弁４７１と、ノズル４７３やノズル洗浄室４７８への給水の開閉や切替を行う流路切替弁４７２と、が設けられている。なお、流量切替弁４７１および流路切替弁４７２は、図３に関して後述する具体例のように、１つのユニットとして設けられていてもよい。続いて、流量切替弁４７１および流路切替弁４７２の下流には、ノズル４７３が設けられている。
【００３７】
ノズル４７３は、ノズルモータ４７６からの駆動力を受け、便器８００のボウル８０１内に進出したり後退することができる。つまり、ノズルモータ４７６は、制御部４０５からの指令に基づいてノズル４７３を進退させることができる。  
そして、制御部４０５は、電源回路４０１から電力を供給され、トイレ室への使用者の入室を検知する入室検知センサ（人体検知手段）４０２や、便座２００の前方にいる使用者を検知する人体検知センサ（人体検知手段）４０３や、便座２００への使用者の着座を検知する着座検知センサ４０４や、操作部５００などからの信号に基づいて、電磁弁４３１や、温水ヒータ４４１や、電解槽ユニット４５０や、流量切替弁４７１や流路切替弁４７２や、ノズルモータ４７６の動作を制御することができる。
【００３８】
着座検知センサ４０４は、使用者が便座２００に着座する直前において便座２００の上方に存在する人体や、便座２００に着座した使用者を検知することができる。すなわち、着座検知センサ４０４は、便座２００に着座した使用者だけではなく、便座２００の上方に存在する使用者を検知することができる。このような着座検知センサ４０４としては、例えば、赤外線投受光式の測距センサなどを用いることができる。
【００３９】
また、人体検知センサ４０３は、便器８００の前方にいる使用者、すなわち便座２００から前方へ離間した位置に存在する使用者を検知することができる。つまり、人体検知センサ４０３は、トイレ室に入室して便座２００に近づいてきた使用者を検知することができる。このような人体検知センサ４０３としては、例えば、赤外線投受光式の測距センサなどを用いることができる。
【００４０】
また、入室検知センサ４０２は、トイレ室のドアを開けて入室した直後の使用者や、トイレ室に入室しようとしてドアの前に存在する使用者を検知することができる。つまり、入室検知センサ４０２は、トイレ室に入室した使用者だけではなく、トイレ室に入室する前の使用者、すなわちトイレ室の外側のドアの前に存在する使用者を検知することができる。このような入室検知センサ４０２としては、焦電センサや、ドップラーセンサなどのマイクロ波センサなどを用いることができる。マイクロ波のドップラー効果を利用したセンサや、マイクロ波を送信し反射したマイクロ波の振幅（強度）に基づいて被検知体を検出するセンサなどを用いた場合、トイレ室のドア越しに使用者の存在を検知することが可能となる。つまり、トイレ室に入室する前の使用者を検知することができる。
【００４１】
図１に表したトイレ装置では、ケーシング４００の上面に凹設部４０９が形成され、この凹設部４０９に一部が埋め込まれるように入室検知センサ４０２が設けられている。入室検知センサ４０２は、便蓋３００が閉じた状態では、その基部付近に設けられた透過窓３１０を介して使用者の入室を検知する。そして、例えば、入室検知センサ４０２が使用者を検知すると、制御部４０５は、入室検知センサ４０２の検知結果に基づいて便蓋３００を自動的に開くことができる。また、着座検知センサ４０４および人体検知センサ４０３は、ケーシング４００の前方の中央部に設けられている。但し、着座検知センサ４０４、人体検知センサ４０３、および入室検知センサ４０２の設置形態は、これだけに限定されるわけではなく、適宜変更することができる。
【００４２】
また、ケーシング４００の内部には、便座２００および便蓋３００が閉じるときの閉止速度を緩める回転減速装置（便蓋開閉検知手段）６００が設けられている。回転減速装置６００は、便座２００および便蓋３００の一方向（閉止方向）への回転に対して抵抗を付与したり、便座２００および便蓋３００の回転角度を検知したり、便座２００および便蓋３００の回転の有無を検知することができる。この回転減速装置６００については、後に詳述する。
【００４３】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００４４】
図３は、本実施形態にかかる衛生洗浄装置の水路系の要部構成の具体例を例示するブロック図である。  
また、図４は、本実施形態の電解槽ユニットの具体例を例示する断面模式図である。  
また、図５は、本実施形態のノズルユニットの具体例を例示する斜視模式図である。
【００４５】
図３に表したように、給水源１０から供給された水は、まず、分岐金具４１０に導かれる。分岐金具４１０に導かれた水は、連結ホース４２０および図示しない便器洗浄用のバルブユニットに分配される。但し、本実施形態にかかる衛生洗浄装置１００を備えたトイレ装置は、いわゆる「水道直圧式」に限定されるわけではなく、いわゆる「ロータンク式」であってもよい。そのため、トイレ装置が「ロータンク式」である場合には、分岐金具４１０に導かれた水は、便器洗浄用のバルブユニットの代わりに、図示しないロータンクに導かれる。
【００４６】
続いて、連結ホース４２０に供給された水は、バルブユニット（給水手段）４３０に導かれる。バルブユニット４３０は、電磁弁４３１と、調圧弁４３２と、入水サーミスタ４３３と、安全弁４３４と、水抜栓４３５と、を有する。調圧弁４３２は、給水圧が高い場合に、所定の圧力範囲に調整する役割を有する。入水サーミスタ４３３は、熱交換器ユニット４４０の内部に供給される水の温度を検知し、その水温の情報を制御部４０５へ出力する。安全弁４３４は、流路２０の圧力が上昇した時に開いて、水を便器８００のボウル８０１に排出する。安全弁４３４を設けることにより、例えば調圧弁４３２の故障などによりその２次側（下流側）の流路２０の圧力が上昇した場合でも、衛生洗浄装置１００の内部に漏水が生ずることを防止できる。また、水抜栓４３５は、流路２０内の水が凍結するおそれがあるときなどに使用され、流路２０内の水を排出できる。なお、電磁弁４３１は、前述した如くである。
【００４７】
続いて、バルブユニット４３０に供給された水は、熱交換器ユニット４４０に導かれる。熱交換器ユニット（加熱手段）４４０は、温水ヒータ４４１と、バキュームブレーカ４４２と、温水サーミスタ４４３と、を有する。バキュームブレーカ４４２は、例えばバルブユニット４３０に負圧が発生した場合などにおいて、ノズル４７３から汚水が逆流することを防止する。あるいは、バキュームブレーカ４４２は、流路２０の水抜きの際に外部から空気を取り込んで、熱交換器ユニット４４０とノズルユニット４７０との間の流路２０の水抜きを促進させる。そして、バキュームブレーカ４４２からの水は、便器８００のボウル８０１に排出される。
【００４８】
温水サーミスタ４４３は、温水ヒータ４４１により加熱された水の温度を検知し、その水温の情報を制御部４０５へ出力する。温水ヒータ４４１としては、例えば、シーズヒータやセラミックヒータなどが挙げられる。なお、熱交換器ユニット４４０に供給される水を所定の温度まで加熱するための温水ヒータ４４１への通電制御は、入水サーミスタ４３３にて検知される熱交換器ユニット４４０への入水の温度と、温水サーミスタ４４３にて検知される加熱された温水の温度と、の情報を制御部４０５が取り込むことによって、フィードフォワード制御とフィードバック制御の組合せにて行われる。
【００４９】
続いて、熱交換器ユニット４４０に供給され、所定温度に加熱された水は、電解槽ユニット４５０に導かれる。電解槽ユニット４５０は、図１および図２に関して前述したように、殺菌水を生成することができる。ここで、本実施形態の電解槽ユニット４５０について、図面を参照しつつ説明する。
【００５０】
電解槽ユニット４５０は、図４に表したように、その内部に陽極板４５１および陰極板４５２を有し、制御部４０５からの通電の制御によって、内部を流れる水道水を電気分解できる。ここで、水道水は、塩素イオンを含んでいる。この塩素イオンは、水源（例えば、地下水や、ダムの水や、河川などの水）に食塩（ＮａＣｌ）や塩化カルシウム（ＣａＣｌ２）として含まれている。そのため、その塩素イオンを電気分解することにより次亜塩素酸が生成される。その結果、電解槽ユニット４５０において電気分解された水は、次亜塩素酸を含む液に変化する。
【００５１】
次亜塩素酸は、殺菌成分として機能し、その次亜塩素酸を含む溶液すなわち殺菌水は、アンモニアなどによる汚れを効率的に除去あるいは分解したり、殺菌することができる。ここで、本願明細書において「殺菌水」とは、次亜塩素酸などの殺菌成分を水道水（単に「水」ともいう）よりも多く含む溶液をいうものとする。
【００５２】
このように、熱交換器ユニット４４０から供給された水道水は、電解槽ユニット４５０において電気分解されて次亜塩素酸を含む溶液となり、ノズルユニット４７０に導かれる。ノズルユニット４７０は、図３に表したように、流量切替弁４７１と、流路切替弁４７２と、ノズル４７３と、を有する。そして、流路切替弁４７２は、電解槽ユニット４５０から供給された殺菌水をノズル４７３の吐水口４７４あるいはノズル洗浄室４７８（図２および図５参照）に導くことができる。ここで、ノズルユニット４７０について、図面を参照しつつ説明する。
【００５３】
本実施形態のノズルユニット４７０は、図５に表したように、基台としての取付台４７５と、取付台４７５に支持されたノズル４７３と、ノズル４７３を移動させるノズルモータ４７６と、を有する。ノズル４７３は、図５に表した矢印Ａのように、ベルトなどの伝動部材４７７を介してノズルモータ４７６から伝達される駆動力により、取付台４７５に対して摺動自在に設けられている。すなわち、ノズル４７３は、ノズル４７３自身の軸方向（進退方向）に直進移動することができる。そして、ノズル４７３は、ケーシング４００および取付台４７５から進退自在に移動できる。
【００５４】
また、本実施形態のノズルユニット４７０には、ノズル洗浄室４７８が設けられている。ノズル洗浄室４７８は、取付台４７５に対して固定され、その内部に設けられた吐水部４７９から殺菌水あるいは水を噴射することにより、ノズル４７３の外周表面（胴体）を殺菌あるいは洗浄することができる。すなわち、制御部４０５が電解槽ユニット４５０の陽極板４５１および陰極板４５２に通電することにより殺菌水を生成する場合には、ノズル４７３の胴体は、吐水部４７９から噴射される殺菌水により殺菌される。一方で、制御部４０５が電解槽ユニット４５０の陽極板４５１および陰極板４５２に通電しない場合には、ノズル４７３の胴体は、吐水部４７９から噴射される水により物理的に洗浄される。
【００５５】
より具体的には、ノズル４７３がケーシング４００に収納された状態において、ノズル４７３の吐水口４７４の部分はノズル洗浄室４７８の中にほぼ収容されている。そのため、ノズル洗浄室４７８は、その内部に設けられた吐水部４７９から殺菌水あるいは水を噴射することにより、収納された状態のノズル４７３の吐水口４７４の部分を殺菌あるいは洗浄することができる。また、ノズル洗浄室４７８は、ノズル４７３の進退時において吐水部４７９から水あるいは殺菌水を噴射することにより、吐水口４７４の部分だけではなく他の部分の外周表面を殺菌あるいは洗浄することができる。
【００５６】
また、本実施形態のノズル４７３は、ノズル４７３がケーシング４００に収納された状態において、ノズル４７３自身が有する吐水口４７４から殺菌水あるいは水を吐水することにより吐水口４７４の部分を殺菌あるいは洗浄することができる。さらに、ノズル４７３がケーシング４００に収納された状態では、ノズル４７３の吐水口４７４の部分はノズル洗浄室４７８の中にほぼ収容されているため、ノズル４７３の吐水口４７４から吐水された殺菌水あるいは水は、ノズル洗浄室４７８の内壁により反射して吐水口４７４の部分にかかる。そのため、ノズル４７３の吐水口４７４の部分は、ノズル洗浄室４７８の内壁で反射した殺菌水あるいは水によっても殺菌あるいは洗浄される。
【００５７】
このように、ノズル４７３の外周表面や吐水口４７４の部分は、電解槽ユニット４５０において生成された殺菌水により殺菌されるが、例えばカビなどの中には、数秒間の殺菌の工程では殺菌されずに一部が流路２０の内部に生存する場合がある。また、殺菌の工程を実行した後に、使用者が衛生洗浄装置１００をしばらく使用しないと、それらのカビは繁殖する場合がある。
【００５８】
これに対して、本実施形態にかかる衛生洗浄装置１００は、人体検知手段が人体を検知した後に電解槽ユニット４５０において生成した殺菌水を流路２０に供給し、その殺菌水を流路２０の内部に満たして所定時間保持することができる。その際には、流路切替弁４７２を閉じることにより、流路２０の内部に殺菌水をより保持しやすい。特に、ノズル４７３の吐水口４７４に至る流路が汚染されやすい流路なので、本実施形態においては、効果的である。また、殺菌水を流路２０の内部に満たして保持する際には、殺菌水を流路２０の内部に投入する前に流路２０の内部に残っている水をすべて置換させた後に行うことが望ましい。また、本実施形態にかかる衛生洗浄装置１００は、殺菌水を流路２０の内部に満たして所定時間保持した後に、その殺菌水を流路２０の外部に排水することができる。
【００５９】
これによれば、衛生洗浄装置１００は、殺菌水を流路２０の内部に満たして所定時間保持するため、流路２０の内部に生存する細菌をより確実に殺菌し、吐水口４７４からきれいな水を噴射することができる。これは、流路２０が殺菌力のより弱い抗菌性の金属により形成されている場合において有効な手段の１つである。また、衛生洗浄装置１００は、殺菌水を流路２０の内部に満たして所定時間保持した後に、その殺菌水を流路２０の外部に排水するため、殺菌水の殺菌力が経時変化により低下した場合でも、その殺菌水が細菌の栄養源となることを抑制することができる。以下、これらの動作について、図面を参照しつつ説明する。
【００６０】
図６は、本実施形態にかかる衛生洗浄装置の動作の概略を表す概念模式図である。  
本実施形態にかかる衛生洗浄装置１００は、人体検知手段が人体を検知した後に電解槽ユニット４５０への通電を開始し、電解槽ユニット４５０よりも下流側の流路２０に殺菌水を供給する（タイミングｔ１１）。これにより、電解槽ユニット４５０よりも下流側の流路２０は、殺菌水により満たされ殺菌される。
【００６１】
ここで、人体検知手段は、入室検知センサ４０２や人体検知センサ４０３などである。但し、人体検知手段は、これだけに限定されるわけではなく、トイレ室の照明スイッチの「オン」を検知する手段や、トイレ室のドアの開動作を検知する手段や、便蓋の開動作を検知する手段などであってもよい。例えば、便蓋３００を開閉駆動する図示しない便蓋開閉装置（便蓋開閉検知手段）がケーシング４００の内部に設けられている場合には、制御部４０５は、入室検知センサ４０２の検知結果に基づいて便蓋３００を自動的に開くことができる。この場合には、衛生洗浄装置１００は、便蓋開閉装置による便蓋３００の開動作に基づいて電解槽ユニット４５０への通電を開始することができる。
【００６２】
あるいは、人体検知手段は、回転減速装置６００であってもよい。回転減速装置６００は、便座２００および便蓋３００の回転角度を検知できるため、便蓋３００の開動作を検知することができる。そのため、衛生洗浄装置１００は、回転減速装置６００による便蓋３００の開動作に基づいて電解槽ユニット４５０への通電を開始することができる。この回転減速装置６００については、後に詳述する。
【００６３】
このように、本願明細書において「人体検知手段」という範囲には、入室検知センサ４０２などのように「人体検知」を行うものだけではなく、トイレ室の照明スイッチの「オン」を検知する手段などのように衛生洗浄装置１００の利用可能性を検知する「利用検知」を行うものが包含される。
【００６４】
これによれば、使用者が衛生洗浄装置１００を利用する可能性があると、衛生洗浄装置１００は、電解槽ユニット４５０よりも下流側の流路２０に殺菌水をより早く供給することができる。つまり、例えば、入室検知センサ４０２がトイレ室に入室した直後の使用者を検知した後であって、着座検知センサ４０４が便座２００に着座した使用者を検知する前において、衛生洗浄装置１００は、電解槽ユニット４５０よりも下流側の流路２０に殺菌水を供給することができる。そのため、衛生洗浄装置１００の利用可能性を検知した後のより早い段階で、流路２０の内部に生存する細菌を殺菌することができる。
【００６５】
続いて、着座検知センサ４０４が便座２００に着座した使用者を検知すると、衛生洗浄装置１００は、電解槽ユニット４５０への通電を停止し、電解槽ユニット４５０よりも下流側の流路２０に上水を供給する（タイミングｔ１２）。これにより、電解槽ユニット４５０よりも下流側の流路２０内の殺菌水は、便器８００のボウル８０１に排出される。
【００６６】
このとき、衛生洗浄装置１００は、温水ヒータ４４１を動作させる。つまり、衛生洗浄装置１００は、温水ヒータ４４１を動作させ、吐水口４７４から水を排出させる温水準備を開始する（タイミングｔ１２）。温水準備の動作は、流路２０内の水を吐水口４７４から排出し、熱交換器ユニット４４０よりも下流側の流路２０内の水を熱交換器ユニット４４０において加熱された水に入れ替える動作である。これにより、熱交換器ユニット４４０よりも下流側の流路２０を温めることができる。そのため、便座２００に座った使用者の「おしり」などの洗浄するときに、冷水が使用者の「おしり」などに噴射されることを防止することができる。
【００６７】
続いて、温水準備の動作が終了すると、衛生洗浄装置１００は、電解槽ユニット４５０への通電を再び開始し、電解槽ユニット４５０よりも下流側の流路２０に殺菌水を供給する（タイミングｔ１３）。これにより、電解槽ユニット４５０よりも下流側の流路２０は、殺菌水により再び満たされる。
【００６８】
続いて、使用者が操作部５００に設けられた図示しない「おしり洗浄スイッチ」を押すと、衛生洗浄装置１００は、電解槽ユニット４５０への通電を停止し、電解槽ユニット４５０よりも下流側の流路２０に上水を供給する（タイミングｔ１４）。これにより、電解槽ユニット４５０よりも下流側の流路２０内の殺菌水は、便器８００のボウル８０１に排出される（タイミングｔ１４）。
【００６９】
そして、衛生洗浄装置１００は、「おしり洗浄」用の吐水口４７４から水を噴射し、便座２００に着座した使用者の「おしり」を洗浄する。このとき、流路２０内の殺菌水は、タイミングｔ１４における動作により排出されているため、殺菌水が使用者の局部に噴射されることはない。また、前述したように、人体検知手段が人体を検知した後、および温水準備が終了した後に電解槽ユニット４５０よりも下流側の流路２０の内部は、殺菌水により殺菌されている。そのため、きれいな水が吐水口４７４から噴射される。
【００７０】
本実施形態によれば、衛生洗浄装置１００は、人体検知手段が人体を検知した後に電解槽ユニット４５０への通電を開始し、電解槽ユニット４５０よりも下流側の流路２０に殺菌水を供給する。人体検知手段が入室検知センサ４０２である場合には、入室検知センサ４０２がトイレ室に入室した直後の使用者を検知した後、衛生洗浄装置１００は、電解槽ユニット４５０よりも下流側の流路２０に殺菌水を供給することができる。そのため、殺菌水を電解槽ユニット４５０よりも下流側の流路２０の内部により長い時間保持することができる。
【００７１】
また、着座検知センサ４０４が便座２００に着座した使用者を検知する前（タイミングｔ１２よりも前）では、温水準備はまだ開始されていない。そのため、着座検知センサ４０４が便座２００に着座した使用者を検知する前では、電解槽ユニット４５０よりも下流側の流路２０は、より低温の殺菌水により満たされる。より低温の環境における細菌の繁殖力は、より高温の環境における細菌の繁殖力よりも弱い。そのため、着座検知センサ４０４が便座２００に着座した使用者を検知する前において、流路２０の内部に生存する細菌をより効率的に殺菌することができる。
【００７２】
図７は、本実施形態にかかる衛生洗浄装置の動作と流路の状態との概略を表す概念模式図である。  
なお、図７に表した流路の状態は、電解槽ユニット４５０よりも下流側の流路２０の内部の状態を表している。  
また、ここでは、ノズル４７３が複数の吐水口４７４を有する場合を例に挙げて説明する。
【００７３】
まず、制御部４０５は、人体検知手段が人体を検知すると、電解槽ユニット４５０への通電を開始し、電解槽ユニット４５０において殺菌水を生成させる（タイミングｔ２１）。また、制御部４０５は、電磁弁４３１を開き、電解槽ユニット４５０よりも下流側の流路２０に殺菌水を供給する（タイミングｔ２１）。これにより、電解槽ユニット４５０よりも下流側の流路２０は、殺菌水により満たされ殺菌される。また、制御部４０５は、流量切替弁４７１および流路切替弁４７２を制御することにより、複数の全ての吐水口４７４から殺菌水を吐水している。そのため、電解槽ユニット４５０よりも下流側の流路２０の内部および吐水口４７４の部分は、殺菌水により殺菌される。
【００７４】
続いて、着座検知センサ４０４が便座２００に着座した使用者を検知すると、制御部４０５は、電解槽ユニット４５０への通電を停止し、電解槽ユニット４５０よりも下流側の流路２０に上水を供給する（タイミングｔ２２）。これにより、電解槽ユニット４５０よりも下流側の流路２０内の殺菌水は、便器８００のボウル８０１に排出される。このとき、衛生洗浄装置１００は、温水ヒータ４４１を動作させる。つまり、衛生洗浄装置１００は、温水ヒータ４４１を動作させ、吐水口４７４から水を排出させる温水準備を開始する（タイミングｔ２２）。なお、温水準備の実行時間は、例えば約１０〜１５秒程度である。
【００７５】
続いて、制御部４０５は、温水準備の動作を終了すると、電解槽ユニット４５０への通電を開始し、電解槽ユニット４５０において殺菌水を生成させる（タイミングｔ２３）。そして、制御部４０５は、流量切替弁４７１および流路切替弁４７２を制御することにより、複数の全ての吐水口４７４から殺菌水を吐水する。このとき、殺菌水が吐水口４７４から吐水されているため、電解槽ユニット４５０よりも下流側の流路２０の内部および吐水口４７４の部分は、殺菌水により殺菌される。なお、ここでの殺菌水は、温水準備で加温された流路が冷めないように加温された殺菌水としている。
【００７６】
続いて、制御部４０５は、電解槽ユニット４５０への通電を停止し、電磁弁４３１を閉じる（タイミングｔ２４）。制御部４０５は、電磁弁４３１を閉じたまま、操作部５００に設けられた図示しない「おしり洗浄スイッチ」が使用者により押されるまで待機する（タイミングｔ２４〜ｔ２５）。このとき、制御部４０５は、電磁弁４３１を閉じ、流路切替弁４７２を閉じているため、電解槽ユニット４５０において生成された殺菌水を電解槽ユニット４５０よりも下流側の流路２０の内部に所定時間保持することができる。これにより、使用者が「おしり洗浄」を実行する前において、電解槽ユニット４５０よりも下流側の流路２０の内部を殺菌することができる。
【００７７】
なお、ここにいう所定時間とは、電解槽ユニット４５０よりも下流側の流路２０の内部に殺菌水が保持されている時間、すなわち、制御部４０５が電磁弁４３１を閉じ、流路切替弁４７２を閉じてから「おしり洗浄スイッチ」が使用者により押されるまでの時間をいう。そのため、ここにいう所定時間は、例えば使用者の用便行為の時間などにより変化する。
【００７８】
続いて、使用者が操作部５００に設けられた図示しない「おしり洗浄スイッチ」を押すと（タイミングｔ２５）、制御部４０５は、局部洗浄を実行する信号を受信する。そして、制御部４０５は、まず上水により「前洗浄」を実行する（タイミングｔ２５〜ｔ２６）。より具体的には、制御部４０５は、流量切替弁４７１および流路切替弁４７２を制御することにより、複数の全ての吐水口４７４から上水を吐水し、それらの吐水口４７４を洗浄する。このときには、制御部４０５は、電解槽ユニット４５０には通電せず殺菌水を生成させない。そのため、複数の吐水口４７４の部分は、吐水口４７４自身が吐水した上水（ノズル洗浄室４７８の内壁で反射した上水を含む）により物理的に洗浄される。
【００７９】
言い換えれば、流路２０の内部に保持されていた殺菌水は、新たに供給される上水により吐水口４７４から排水される。つまり、流路２０の内部に保持されていた殺菌水は、新たに供給される上水により置換され、排水される。なお、上水による前洗浄の実行時間は、例えば約２〜４秒程度である。
【００８０】
続いて、制御部４０５は、流量切替弁４７１および流路切替弁４７２を制御することによりノズル洗浄室４７８に設けられた吐水部４７９から上水を噴射しつつ、ノズル４７３をボウル８０１内に進出させる。そのため、ノズル４７３の胴体は、吐水部４７９から噴射された上水により洗浄される（タイミングｔ２６〜ｔ２７）。このときにも、制御部４０５は、電解槽ユニット４５０には通電せず殺菌水を生成させない。そのため、ノズル４７３の胴体は、吐水部４７９から噴射された上水により物理的に洗浄される。
【００８１】
このときにも、吐水部４７９に接続された流路２０の内部に保持されていた殺菌水は、新たに供給される上水により置換され、排水される。なお、上水による胴体洗浄の実行時間は、例えば約３秒程度である。
【００８２】
続いて、制御部４０５は、流量切替弁４７１および流路切替弁４７２を制御することにより「おしり洗浄」用の吐水口４７４から上水を噴射し、便座２００に着座した使用者の「おしり」を洗浄する（タイミングｔ２７〜ｔ２８）。このとき、制御部４０５は、電解槽ユニット４５０には通電せず殺菌水を生成させない。また、流路２０の内部に保持されていた殺菌水は、タイミングｔ２５〜ｔ２７において、新たに供給される上水により置換され、排水されている。そのため、殺菌水が使用者の局部に噴射されることはない。
【００８３】
また、「おしり洗浄」を実行する前の温水準備および待機のときに、電解槽ユニット４５０よりも下流側の流路２０の内部は、殺菌水により殺菌されている（タイミングｔ２１〜ｔ２２、ｔ２３〜ｔ２５）。そのため、きれいな水が吐水口４７４から噴射される。
【００８４】
続いて、使用者が操作部５００により図示しない「止スイッチ」を押すと（タイミングｔ２８）、制御部４０５は、流量切替弁４７１および流路切替弁４７２を制御することによりノズル洗浄室４７８に設けられた吐水部４７９から殺菌水を噴射しつつ、ノズル４７３をケーシング４００内に収納する（タイミングｔ２８〜ｔ２９）。つまり、制御部４０５は、電解槽ユニット４５０への通電を開始し殺菌水を生成させ、吐水部４７９から噴射された殺菌水によりノズル４７３の「胴体洗浄」を行う（タイミングｔ２８〜ｔ２９）。これにより、電解槽ユニット４５０よりも下流側の流路２０の内部およびノズル４７３の外周表面は、殺菌水により殺菌される。なお、殺菌水による胴体洗浄の実行時間は、例えば約３秒程度である。
【００８５】
続いて、ノズル４７３がケーシング４００に収納された状態において、制御部４０５は、流量切替弁４７１および流路切替弁４７２を制御することにより、複数の全ての吐水口４７４から殺菌水を吐水し、それらの吐水口４７４の「後洗浄」を実行する（タイミングｔ２９〜ｔ３０）。つまり、制御部４０５は、電解槽ユニット４５０に通電して殺菌水を生成し、吐水口４７４から噴射された殺菌水により吐水口４７４の部分の後洗浄を行う（タイミングｔ２９〜ｔ３０）。これにより、流路２０の内部および吐水口４７４の部分は、殺菌水により殺菌される。なお、殺菌水による前洗浄の実行時間は、例えば約３秒程度である。
【００８６】
続いて、制御部４０５は、電磁弁４３１を閉じ、その後、流路切替弁４７２閉じて、電解槽ユニット４５０において生成した殺菌水を流路２０の内部に所定時間保持する（タイミングｔ３０〜ｔ３１）。これにより、使用者が「おしり洗浄」を実行した後において、流路２０の内部を殺菌することができる。そして、ここにいう所定時間とは、例えば約６０分程度である。このように、本実施形態にかかる衛生洗浄装置１００は、流路２０の内部に殺菌水をより長い時間保持するため、流路２０の内部に生存する細菌をより確実に殺菌することができる。
【００８７】
続いて、所定時間が経過すると、制御部４０５は、「水抜き」を行う（タイミングｔ３１〜ｔ３２）。つまり、制御部４０５は、流路２０の内部の殺菌水を抜き、流路２０の内部を空にする。この「水抜き」の実行時間は、例えば約３０秒程度である。このように、本実施形態にかかる衛生洗浄装置１００は、流路２０の内部に殺菌水を所定時間保持した後に、流路２０の内部の殺菌水を抜き、流路２０の内部を空にするため、殺菌水の殺菌力が経時変化により低下した場合でも、その殺菌水が細菌の栄養源となることを抑制することができる。
【００８８】
また、本実施形態の制御部４０５は、ノズル４７３を洗浄する洗浄工程を実行した後に連続して、流路２０の内部に殺菌水を所定時間保持する。ここで、本願明細書において、ノズルの「洗浄工程」とは、殺菌水による前洗浄、殺菌水による胴体洗浄、および殺菌水による後洗浄の少なくともいずれかをいう。これにより、ノズル４７３の洗浄工程を実行した後に、じっくりと流路２０の内部を殺菌することができる。そのため、流路２０の内部に生存する細菌をより確実に殺菌することができる。
【００８９】
図８は、本実施形態にかかる衛生洗浄装置の動作の具体例を例示するタイミングチャートである。  
まず、人体検知手段が人体を検知すると（タイミングｔ１０１）、制御部４０５は、流量切替弁４７１および流路切替弁４７２を「原点」から「ＳＣ（セルフクリーニング）２」に切り替え、「おしり洗浄」および「ビデ洗浄」のための全ての吐水口４７４からの吐水を可能とする。このときの流量（水量）は、例えば約４５０ｃｃ／分である。
【００９０】
続いて、流量切替弁４７１および流路切替弁４７２の切り替えが完了すると（タイミングｔ１０２）、制御部４０５は、電磁弁４３１を開き、温水ヒータ４４１を「殺菌制御モード」に設定する。これにより、流路２０内の冷水が排水され、温水準備が行われる。このように、着座検知センサ４０４が便座２００に着座した使用者を検知する前に温水準備が行われることにより、使用者は、便座２００に着座した後でもすぐに「おしり洗浄」を行うことができる。
【００９１】
続いて、制御部４０５は、電解槽ユニット４５０への通電を開始し、電解槽ユニット４５０において殺菌水を生成させる（タイミングｔ１０３）。このとき、電磁弁４３１は開いているため、電解槽ユニット４５０よりも下流側の流路２０は、殺菌水により満たされ殺菌される。また、制御部４０５は、流量切替弁４７１および流路切替弁４７２を「ＳＣ２」に切り替えているため、吐水口４７４の部分は、殺菌水により殺菌される。
【００９２】
このときの流量（水量）は、例えば約２８０ｃｃ／分である。つまり、このときの流量は、温水準備のときの流量（例えば約４５０ｃｃ／分）や、水による前洗浄および胴体洗浄および後洗浄のときの流量（例えば約４５０ｃｃ／分）よりも少ない。言い換えれば、制御部４０５は、局部洗浄を実行するときの流量とは独立した設定流量で殺菌水を生成できる。なお、本具体例では、温水準備のときの流量や、水による前洗浄および胴体洗浄および後洗浄のときの流量は、最大流量に設定されている。このように、制御部４０５は、電解槽ユニット４５０に供給する水の流量を最大流量よりも少なくすることにより、電解槽ユニット４５０において生成される殺菌水の次亜塩素酸の濃度をより高めることができる。
【００９３】
また、このとき、制御部４０５は、温水ヒータ４４１を「凍結防止制御モード」から「殺菌制御モード」に設定変更している（タイミングｔ１０２）。このときの温水ヒータ４４１の温度、すなわち「殺菌制御モード」における温水ヒータ４４１の設定温度は、局部洗浄を行うときの温水ヒータ４４１の設定温度、すなわち「前洗浄モード、本洗浄モード、後洗浄モード」における温水ヒータ４４１の設定温度の最高温度以上である。言い換えれば、制御部４０５は、局部洗浄を実行するときの温度とは独立した設定温度で殺菌水を生成できる。
【００９４】
このように、制御部４０５は、温水ヒータ４４１を「殺菌制御モード」に設定し、局部洗浄を実行するときに温水ヒータ４４１から供給される水の最高温度以上に設定することにより、電解槽ユニット４５０において生成される殺菌水の次亜塩素酸の濃度をより高めることができる。また、制御部４０５は、局部洗浄を実行するときの最高温度以上に設定することにより、殺菌水の次亜塩素酸の濃度をより高めることができるため、殺菌水の殺菌力の低下を抑制し、流路２０の内部に保持した殺菌水の殺菌効果をより長く維持することができる。そのため、その殺菌水が細菌の栄養源となることを抑制することができる。
【００９５】
続いて、制御部４０５は、温水ヒータ４４１を「殺菌制御モード」から「保温制御モード」に設定変更する（タイミングｔ１０４）。続いて、制御部４０５は、電磁弁４３１を閉じ、流量切替弁４７１および流路切替弁４７２を「ＳＣ２」から「原点」に切り替え、電解槽ユニット４５０への通電を停止する（タイミングｔ１０５）。続いて、制御部４０５は、温水ヒータ４４１を「保温制御モード」から「凍結防止制御モード」に設定変更する（タイミングｔ１０６）。なお、制御部４０５が温水ヒータ４４１を設定変更した後に電磁弁４３１を閉じるのは、いわゆる「後沸き防止」のためである。つまり、温水ヒータ４４１は、「殺菌制御モード」から「保温制御モード」へ設定変更された後でも余熱を発生するためである。
【００９６】
続いて、制御部４０５は、着座検知センサ４０４が便座２００に着座した使用者を検知するまで、流路２０の内部に殺菌水を保持しつつ待機する（タイミングｔ１０６〜ｔ１０７）。そして、着座検知センサ４０４が便座２００に着座した使用者を検知すると（タイミングｔ１０７）、制御部４０５は、流量切替弁４７１および流路切替弁４７２を「原点」から「ＳＣ」に切り替え、「おしり洗浄」および「ビデ洗浄」のための全ての吐水口４７４からの吐水を可能とする。このときの流量（水量）は、例えば約４５０ｃｃ／分である。
【００９７】
続いて、流量切替弁４７１および流路切替弁４７２の切り替えが完了すると（タイミングｔ１０８）、制御部４０５は、電磁弁４３１を開き、温水ヒータ４４１を「捨水モード」に設定する。これにより、流路２０内の冷水が排水され、温水準備が再び行われる。続いて、制御部４０５は、流量切替弁４７１および流路切替弁４７２を「ＳＣ」から「ＳＣ２」に切り替えて温水準備を完了すると、電解槽ユニット４５０への通電を開始し殺菌水を生成する（タイミングｔ１０９）。また、制御部４０５は、温水ヒータ４４１を「殺菌制御モード」に設定する（タイミングｔ１０９）。このときの流量（水量）は、例えば約２８０ｃｃ／分である。
【００９８】
続いて、制御部４０５は、温水ヒータ４４１を「殺菌制御モード」から「保温制御モード」に設定変更する（タイミングｔ１１０）。続いて、制御部４０５は、電磁弁４３１を閉じ、流量切替弁４７１および流路切替弁４７２を「ＳＣ２」から「原点」に切り替え、電解槽ユニット４５０への通電を停止する（タイミングｔ１１１）。なお、制御部４０５が温水ヒータ４４１を設定変更した後に電磁弁４３１を閉じるのは、前述したように、いわゆる「後沸き防止」のためである。
【００９９】
続いて、制御部４０５は、操作部５００に設けられた図示しない「おしり洗浄スイッチ」が使用者により押されるまで、流路２０の内部に殺菌水を保持しつつ待機し、吐水口４７４から吐水する水の温度を保温する（タイミングｔ１１２〜ｔ１１３）。このとき、制御部４０５は、電磁弁４３１を閉じ、流路切替弁４７２を閉じているため、電解槽ユニット４５０において生成した殺菌水を流路２０の内部に所定時間保持することができる。これにより、使用者が「おしり洗浄」を実行する前において、流路２０の内部を殺菌することができる。
【０１００】
続いて、使用者が操作部５００に設けられた図示しない「おしり洗浄スイッチ」を押すと（タイミングｔ１１３）、制御部４０５は、局部洗浄を実行する信号を受信する。そして、制御部４０５は、流量切替弁４７１および流路切替弁４７２を「原点」から「ＳＣ」に切り替え、電磁弁４３１を開き、温水ヒータ４４１を「前洗浄モード、本洗浄モード、後洗浄モード」に設定する。このとき、制御部４０５は、電解槽ユニット４５０には通電せず殺菌水を生成させない。そのため、吐水口４７４の部分は、吐水口４７４自身が吐水した水により洗浄される。
【０１０１】
言い換えれば、流路２０の内部に保持されていた殺菌水は、新たに供給される水により吐水口４７４から排水される。つまり、流路２０の内部に保持されていた殺菌水は、新たに供給される水により置換され、排水される。
【０１０２】
続いて、制御部４０５は、流量切替弁４７１および流路切替弁４７２を「ＳＣ」から「バイパス２」に切り替え、ノズル洗浄室４７８に設けられた吐水部４７９から水を噴射可能とする（タイミングｔ１１５）。続いて、制御部４０５は、ケーシング４００に収納されていたノズル４７３を「おしり洗浄」の位置まで進出させる（タイミングｔ１１６〜ｔ１１７）。このとき、制御部４０５は、電磁弁４３１を開いており、電解槽ユニット４５０には通電せず殺菌水を生成していない。そのため、ノズル４７３の胴体は、吐水部４７９から噴射された水により洗浄される。そして、吐水部４７９に接続された流路２０の内部に保持されていた殺菌水は、新たに供給される水により置換され、排水される。
【０１０３】
続いて、制御部４０５は、流量切替弁４７１および流路切替弁４７２を「バイパス２」から「おしり水勢５」に切り替え（タイミングｔ１１７〜ｔ１１８）、本洗浄（おしり洗浄）を実行する（タイミングｔ１１８〜ｔ１１９）。なお、例えば、使用者が「おしり洗浄」における水勢を「水勢５」から「水勢３」に操作部５００により設定変更した場合には、制御部４０５は、流量切替弁４７１および流路切替弁４７２を「おしり水勢５」から「おしり水勢３」に切り替える（タイミングｔ１１９〜ｔ１２０）。そして、制御部４０５は、「水勢３」において本洗浄を継続する（タイミングｔ１２０〜ｔ１２１）。
【０１０４】
この本洗浄では、制御部４０５は、電解槽ユニット４５０には通電せず殺菌水を生成しない。また、流路２０の内部に保持されていた殺菌水は、タイミングｔ１１３〜ｔ１１７において、新たに供給される水により置換され、排水されている。そのため、殺菌水が使用者の局部に噴射されることはない。
【０１０５】
続いて、使用者が操作部５００により図示しない「止スイッチ」を押すと、制御部４０５は、流量切替弁４７１および流路切替弁４７２を「おしり水勢３」から「バイパス２」に切り替え、ノズル洗浄室４７８に設けられた吐水部４７９から水を噴射可能とする（タイミングｔ１２１）。続いて、制御部４０５は、「おしり洗浄」の位置に進出していたノズル４７３をケーシング４００に収納する（タイミングｔ１２２〜ｔ１２３）。このとき、制御部４０５は、電磁弁４３１を開いており、電解槽ユニット４５０には通電せず殺菌水を生成していない。そのため、ノズル４７３の胴体は、吐水部４７９から噴射された水により洗浄される。
【０１０６】
続いて、ノズル４７３がケーシング４００に収納された状態において、制御部４０５は、流量切替弁４７１および流路切替弁４７２を「バイパス２」から「ＳＣ」に切り替え、「おしり洗浄」および「ビデ洗浄」のための全ての吐水口４７４から吐水することにより後洗浄を行う（タイミングｔ１２３〜ｔ１２４）。このときにも、制御部４０５は、電磁弁４３１を開いており、電解槽ユニット４５０には通電していないため、ノズル４７３の吐水口４７４の部分は、吐水口４７４自身が吐水した水により洗浄される。
【０１０７】
続いて、制御部４０５は、電磁弁４３１を閉じ、流量切替弁４７１および流路切替弁４７２を「ＳＣ」から「原点」に切り替える（タイミングｔ１２５）。続いて、使用者が「おしり乾燥」を適宜行い便座２００から離座した後、所定時間（ここでは、例えば約５秒間程度）が経過すると、制御部４０５は、流量切替弁４７１および流路切替弁４７２を「原点」から「ＳＣ２」に切り替え、「おしり洗浄」および「ビデ洗浄」のための全ての吐水口４７４からの吐水を可能とする（タイミングｔ１２６）。また、制御部４０５は、電磁弁４３１を開き、温水ヒータ４４１を「前洗浄モード、本洗浄モード、後洗浄モード」に設定する（タイミングｔ１２６）。さらに、制御部４０５は、電解槽ユニット４５０への通電を開始し、殺菌水の生成を開始する（タイミングｔ１２７）。
【０１０８】
そのため、電解槽ユニット４５０において生成された殺菌水によるノズル４７３の後洗浄が行われる。つまり、電解槽ユニット４５０において生成された殺菌水が吐水口４７４から吐水されるため、流路２０の内部および吐水口４７４の部分は、殺菌水により殺菌される。これにより、使用者が「おしり洗浄」を実行した後において、流路２０の内部を殺菌することができる。
【０１０９】
このときの流量（水量）は、例えば約２８０ｃｃ／分である。これによれば、前述したように、制御部４０５は、電解槽ユニット４５０に供給する水の流量をより少なくすることにより、電解槽ユニット４５０において生成される殺菌水の次亜塩素酸の濃度をより高めることができる。
【０１１０】
続いて、制御部４０５は、電解槽ユニット４５０への通電を停止し、温水ヒータ４４１を「凍結防止制御モード」に設定する（タイミングｔ１２８）。その後、制御部４０５は、電磁弁４３１を閉じ、流路切替弁４７２を閉じて、電解槽ユニット４５０において生成した殺菌水を流路２０の内部に所定時間保持する（タイミングｔ１２９〜ｔ１３２）。これにより、使用者が「おしり洗浄」を実行した後において、流路２０の内部を殺菌することができる。
【０１１１】
この殺菌水保持工程の実行時間は、例えば約６０分程度である。このように、本実施形態にかかる衛生洗浄装置１００は、流路２０の内部に殺菌水をより長い時間保持するため、流路２０の内部に生存する細菌をより確実に殺菌することができる。なお、制御部４０５は、殺菌水を流路２０の内部に保持している間に（タイミングｔ１２９〜ｔ１３２）、電解槽ユニット４５０に通電し殺菌水を供給してもよい（タイミングｔ１３０〜ｔ１３１）。これによれば、殺菌水の殺菌力が経時変化により低下した場合でも、制御部４０５は、電解槽ユニット４５０を制御し、新たな殺菌水を供給することにより殺菌力の低下を抑制することができる。
【０１１２】
続いて、所定時間（例えば約６０分程度）が経過すると、制御部４０５は、流量切替弁４７１および流路切替弁４７２を「原点」から「ＳＣ２」に切り替え、ノズル４７３を「水抜き」の位置まで移動させる（タイミングｔ１３２）。これにより、流路２０の内部の「水抜き」が実行される（タイミングｔ１３２〜ｔ１３３）。つまり、制御部４０５は、流路２０の内部の殺菌水を抜き、流路２０の内部を空にする。このように、本実施形態にかかる衛生洗浄装置１００は、流路２０の内部に殺菌水を所定時間保持した後に、流路２０の内部の殺菌水を抜き、流路２０の内部を空にするため、殺菌水の殺菌力が経時変化により低下した場合でも、その殺菌水が細菌の栄養源となることを抑制することができる。
【０１１３】
制御部４０５は、流路２０の内部の水抜きを実行した後に待機状態となる（タイミングｔ１３３〜ｔ１３４）。その後、制御部４０５は、流量切替弁４７１および流路切替弁４７２を「原点」から「ＳＣ２」に切り替え、「おしり洗浄」および「ビデ洗浄」のための全ての吐水口４７４からの吐水を可能とする（タイミングｔ１３４）。また、制御部４０５は、電磁弁４３１を開き、温水ヒータ４４１を「殺菌制御モード」に設定する（タイミングｔ１３４）。さらに、制御部４０５は、電解槽ユニット４５０への通電を開始し、殺菌水の生成を開始する（タイミングｔ１３４）。つまり、ここでは、タイミングｔ１２６〜ｔ１２９に関して前述したように、流路２０の内部および吐水口４７４の部分は、殺菌水により殺菌される（タイミングｔ１３３〜ｔ１３４）。
【０１１４】
続いて、制御部４０５は、タイミングｔ１２９〜ｔ１３２に関して前述した動作と同様に、電磁弁４３１を閉じ、流路切替弁４７２を閉じて、電解槽ユニット４５０において生成した殺菌水を流路２０の内部に所定時間保持する（タイミングｔ１３５〜ｔ１３６）。これによれば、使用者が「おしり洗浄」を実行した後において、流路２０の内部を定期的に殺菌することができる。そして、制御部４０５は、タイミングｔ１３２〜ｔ１３３に関して前述した動作と同様に、流路２０の内部の殺菌水を抜き、流路２０の内部を空にする（タイミングｔ１３６〜ｔ１３７）。これにより、流路２０の内部に生存する細菌をより確実に殺菌し、その流路２０の内部において細菌が繁殖することをより確実に抑制することができる。
【０１１５】
ここで、流路２０の内部の定期的な殺菌および排水（タイミングｔ１３４〜ｔ１３７）を実行するトリガについて、制御部４０５は、例えばタイマーにより適宜設定された時刻になると、定期的な殺菌および排水を実行することができる。タイマーの時刻は、衛生洗浄装置１００の製造時や出荷時に予め設定されていてもよいし、使用者により好みに応じて設定されてもよい。あるいは、制御部４０５は、衛生洗浄装置１００が使用されていない夜間の時間帯を狙って、定期的な殺菌および排水を実行することができる。
【０１１６】
あるいは、制御部４０５は、使用者による衛生洗浄装置１００の使用頻度を記憶し、その使用頻度が少ない時間帯を学習してもよい。これによれば、制御部４０５は、その使用者の使用頻度が少ない時間帯において、定期的な殺菌および排水を実行することができる。
【０１１７】
図９は、本実施形態にかかる衛生洗浄装置の動作の変形例を表す概念模式図である。  
図６〜図８に関して前述した動作は、人体検知手段が人体を検知した後に「おしり洗浄」が実行される場合である。これに対して、人体検知手段が人体を検知した後に「おしり洗浄」が実行されない場合がある。これは、例えば、男性の使用者が立位姿勢のままで排尿行為を行った場合などである。
【０１１８】
この場合でも、制御部４０５は、流路２０の内部の「水抜き」を実行することができる。つまり、人体検知手段が人体を検知した後に「おしり洗浄」が実行されない場合でも、制御部４０５は、流路２０の内部の殺菌水を抜き、流路２０の内部を空にすることができる。
【０１１９】
例えば、図９（ａ）に表したように、人体検知手段が人体を検知しなくなってから所定時間が経過した後に、制御部４０５は、流路２０の内部の殺菌水を抜き、流路２０の内部を空にすることができる。あるいは、図９（ｂ）に表したように、人体検知手段が人体を検知してから所定時間が経過した後に、制御部４０５は、流路２０の内部の殺菌水を強制的に抜き、流路２０の内部を空にすることができる。あるいは、図９（ｃ）に表したように、人体検知手段が人体を検知した後であって、所定時間が経過しても着座検知センサ４０４が便座２００に着座した使用者を検知しない場合には、制御部４０５は、便器洗浄の動作と同時に流路２０の内部の殺菌水を抜き、流路２０の内部を空にすることができる。
【０１２０】
これらによれば、人体検知手段が人体を検知した後に「おしり洗浄」が実行されない場合でも、制御部４０５は、流路２０の内部に殺菌水を所定時間保持した後に、流路２０の内部の殺菌水を抜き、流路２０の内部を空にすることができる。そのため、殺菌水の殺菌力が経時変化により低下した場合でも、その殺菌水が細菌の栄養源となることを抑制することができる。
【０１２１】
次に、人体検知手段が回転減速装置６００である場合の具体例について、図面を参照しつつ説明する。  
図１０は、本実施形態の回転減速装置を表す分解模式図である。  
また、図１１および図１２は、本実施形態の回転減速装置を表す断面模式図である。  
なお、図１１は、図１０に表した切断面Ａ−Ａにおける断面模式図である。  
また、図１２は、図１１に表した切断面Ｂ−Ｂにおける断面模式図である。
【０１２２】
回転減速装置６００は、図１０に表したように、ケーシング４００内に固定される筒状の取付台６１０と、その取付台６１０の筒内に保持されるダンパー部６２０及び開閉検知部６３０と、を有する。  
ダンパー部６２０および開閉検知部６３０は、それぞれ別のケース（ケーシング）を有する独立部材となっており、それぞれ取付台６１０に着脱自在な状態に一体化されている。
【０１２３】
ダンパー部６２０は、図１１に表したように、両端に開口部６２１ａ、６２１ｂを有する円筒状のケーシング６２１と、ケーシング６２１の内部に摺接する回転軸６２２と、ケーシング６２１と回転軸６２２との間に封入された粘性オイル６２３と、開口部６２１ａ、６２１ｂを覆う蓋６２４、６２５と、を有する。粘性オイル６２３は、回転軸６２２の一方向（便座が閉じる方向）への回転に対して抵抗を付与する回転抵抗手段として機能する（図１２参照）。
【０１２４】
回転軸６２２は、ケーシング６２１の内部に回転可能に嵌め込まれている。一方の蓋６２４の中央には、回転軸６２２の一端に形成したピン差込み孔６２２ｃが覗く開口部６２４ａが設けられている。そして、この開口部６２４ａからピン差込み孔６２２ｃに対して、便座２００の基部に回転不能に取付けられる保持軸６４０が回転不能に差し込まれる。また、回転軸６２２の他端は、他方の蓋６２５に設けられた開口部６２５ａから突出しており、開閉検知部６３０の内部の増速ギヤ列６３３に係合する。  
なお、回転軸６２２は、ピン差込み孔６２２ｃから増速ギヤ列６３３への係合部分までを一本の軸で構成してもよいが、本実施形態では、第一回転軸６２２ａと第二回転軸６２２ｂの２部材に分断させている。もちろん分断されても第一回転軸６２２ａと第二回転軸６２２ｂは、端部同士が互いに回転不能に係合しているので、第一回転軸６２２ａの回転はそのまま第二回転軸６２２ｂの回転に伝達されている。
【０１２５】
開閉検知部６３０は便座２００又は便蓋３００の開閉状態を検知するものであり、図１１に表したように、ケース６３１と、ケース６３１の内部に収納された入力軸６３２と、入力軸６３２の回転を増速させて伝達する増速ギヤ列６３３と、入力軸６３２に固定された磁石６３４ａと、増速ギヤ列６３３の最終段のギヤ（第３ギヤ６３３ｃ）に固定された磁石６３５ａと、各磁石６３４ａ、６３５ａの磁力を検知するホールＩＣ６３４ｂ、６３５ｂを有するホールＩＣ基板６３６と、を有する。磁石６３４ａは、入力軸６３２の周方向にＮ極とＳ極が２極分化した円弧形状である。磁石６３５ａは、回転軸６２２に対する増速比を最大とした第３ギヤ６３３ｃの周方向にＮ極とＳ極を複数有する円板形状である。  
なお、ホールＩＣ基板６３６には、制御部４０５と信号の授受を行うリード線６３７が接続されている。
【０１２６】
ケース６３１の側面には開口部６３１ａが形成されており、前述した回転軸６２２（第二回転軸６２２ｂ）の他端がこの開口部６３１ａからケース６３１内に差し込まれて入力軸６３２に係合する。すなわち、回転軸６２２の回転は、直接に入力軸６３２に伝達される。
【０１２７】
増速ギヤ列６３３は、第１ギヤ６３３ａ、第２ギヤ６３３ｂ及び第３ギヤ６３３ｃを有し、第１ギヤ６３３ａは入力軸６３２の回転を増速して第２ギヤ６３３ｂに伝達し、第２ギヤ６３３ｂは第１ギヤ６３３ａの回転を増速して第３ギヤ６３３ｃに伝達している。
【０１２８】
入力軸６３２の回転角度を検知する角度検出手段は、入力軸６３２に固定した磁石６３４ａとホールＩＣ６３４ｂとを有する。入力軸６３２の回転角度は、回転軸６２２の回転角度と一致するので、この角度検出手段は、便座２００の回転角度、すなわち便座２００の位置を検知することができる。
【０１２９】
また、第３ギヤ６３３ｃの回転の有無を検知する回転検出手段は、第３ギヤ６３３ｃに固定した磁石６３５ａとホールＩＣ６３５ｂとを有する。第３ギヤ６３３ｃは第２ギヤ６３３ｂ、第１ギヤ６３３ａ、入力軸６３２を介して回転軸６２２の回転を受けているから、第３ギヤの回転の有無は回転軸６２２の回転の有無と一致する。すなわち、この回転検出手段は、便座２００の回転の有無を検知することができる。さらに、回転軸６２２の回転を直接検出するのではなく、増速ギヤ列６３３で増速した回転を検出するので、便座２００が緩い速度で閉じている状態であっても、その回転の有無を検出することが容易である。しかも、第３ギヤ６３３ｃは、増速ギヤ列６３３の中でも回転軸６２２に対する増速比が最大になっているので、第１ギヤ６３３ａや第２ギヤ６３３ｂに磁石を配置するよりも、精度よく回転の有無を検出できる。
【０１３０】
角度検出手段及び回転検出手段による検出の結果は、リード線６３７により回転減速装置６００の外に取り出されて、制御部４０５に出力される。また、リード線６３７を介して制御部４０５から角度検出手段及び回転検出手段に電力が供給され、ホールＩＣ６３４ｂ、６３５ｂによる磁石６３４ａ、６３５ａの位置検知を可能にしている。
【０１３１】
このように、本実施形態の回転減速装置６００は、便座２００の回転角度および回転の有無を検知することができる。そのため、制御部４０５は、回転減速装置６００が便蓋３００の開動作を検知した後に電解槽ユニット４５０への通電を開始し、電解槽ユニット４５０よりも下流側の流路２０に殺菌水を供給することができる。これにより、電解槽ユニット４５０よりも下流側の流路２０は、殺菌水により満たされ殺菌される。
【０１３２】
また、便蓋３００の開動作にて温水準備を行う場合、便蓋３００の開動作と同時または直後に便座２００の開動作を検知した場合には、温水準備は行わないか、あるいは便座２００の開動作にて温水準備を停止し、無駄な温水ヒータの動作を行わないようにすることが望ましい。
【０１３３】
以上説明したように、本実施形態によれば、制御部４０５は、人体検知手段が人体を検知した後に電解槽ユニット４５０への通電を開始し、電解槽ユニット４５０よりも下流側の流路２０に殺菌水を供給する。これにより、電解槽ユニット４５０よりも下流側の流路２０は、殺菌水により満たされ殺菌される。つまり、使用者が衛生洗浄装置１００を利用する可能性があると、制御部４０５は、電解槽ユニット４５０よりも下流側の流路２０に殺菌水をより早く供給することができる。そのため、衛生洗浄装置１００の利用可能性を検知した後のより早い段階で、流路２０の内部に生存する細菌を殺菌することができる。
【０１３４】
また、本実施形態にかかる衛生洗浄装置１００は、殺菌水を流路２０の内部に満たして所定時間保持することができる。そのため、流路２０の内部に生存する細菌をより確実に殺菌し、吐水口４７４からきれいな水を噴射することができる。さらに、男性の使用者が立位姿勢のままで排尿行為を行った場合でも、電解槽ユニット４５０よりも下流側の流路２０は殺菌水により満たされているため、小水が吐水口４７４から流路２０内に入ることを防止することができる。
【０１３５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置などやノズル４７３やノズル洗浄室４７８の設置形態などは、例示したものに限定されるわけではなく適宜変更することができる。  
また、電解槽ユニット４５０において生成される殺菌水は、銀イオンや銅イオンなどの金属イオンを含む溶液であってもよい。あるいは、電解槽ユニット４５０において生成される殺菌水は、電解塩素やオゾンなどを含む溶液であってもよい。あるいは、電解槽ユニット４５０において生成される殺菌水は、酸性水やアルカリ水であってもよい。あるいは、殺菌水生成手段は、電解槽に限定されるわけではない。すなわち、殺菌水は、殺菌剤および殺菌液を水に溶解させることによって生成される殺菌水であってもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１３６】
１０ 給水源、  ２０ 流路、  １００ 衛生洗浄装置、  ２００ 便座、  ３００ 便蓋、  ３１０ 透過窓、  ４００ ケーシング、  ４０１ 電源回路、  ４０２ 入室検知センサ、  ４０３ 人体検知センサ、  ４０４ 着座検知センサ、  ４０５ 制御部、  ４０７ 排気口、  ４０８ 排出口、  ４０９ 凹設部、  ４１０ 分岐金具、  ４２０ 連結ホース、  ４３０ バルブユニット、  ４３１ 電磁弁、  ４３２ 調圧弁、  ４３３ 入水サーミスタ、  ４３４ 安全弁、  ４３５ 水抜栓、  ４４０ 熱交換器ユニット、  ４４１ 温水ヒータ、  ４４２ バキュームブレーカ、  ４４３ 温水サーミスタ、  ４５０ 電解槽ユニット、  ４５１ 陽極板、  ４５２ 陰極板、  ４７０ ノズルユニット、  ４７１ 流量切替弁、  ４７２ 流路切替弁、  ４７３ ノズル、  ４７４ 吐水口、  ４７５ 取付台、  ４７６ ノズルモータ、  ４７７ 伝動部材、  ４７８ ノズル洗浄室、  ４７９ 吐水部、  ５００ 操作部、  ６００ 回転減速装置、  ６１０ 取付台、  ６２０ ダンパー部、  ６２１ ケーシング、  ６２１ａ、６２１ｂ 開口部、  ６２２ 回転軸、  ６２２ａ 第一回転軸、  ６２２ｂ 第二回転軸、  ６２２ｃ ピン差込み孔、  ６２３ 粘性オイル、  ６２４ 蓋、  ６２４ａ 開口部、  ６２５ 蓋、  ６２５ａ 開口部、  ６３０ 開閉検知部、  ６３１ ケース、  ６３１ａ 開口部、  ６３２ 入力軸、  ６３３ 増速ギヤ列、  ６３３ａ 第１ギヤ、  ６３３ｂ 第２ギヤ、  ６３３ｃ 第３ギヤ、  ６３４ａ 磁石、  ６３４ｂ ホールＩＣ、  ６３５ａ 磁石、  ６３５ｂ ホールＩＣ、  ６３６ 基板、  ６３７ リード線、  ６４０ 保持軸、  ８００ 便器、  ８０１ ボウル
【図１】
2011202481.tif 000003
【図２】
2011202481.tif 000004
【図３】
2011202481.tif 000005
【図５】
2011202481.tif 000006
【図６】
2011202481.tif 000007
【図７】
2011202481.tif 000008
【図８】
2011202481.tif 000009
【図９】
2011202481.tif 000010
【図１０】
2011202481.tif 000011
【図１１】
2011202481.tif 000012
【図１２】
2011202481.tif 000013
【図４】
2011202481.tif 000014